(57)【要約】      （修正有）【課題】壁面の輝度をより高めてかご室内の明るさ感を向上させることができるエレベータ用照明装置を提供する。【解決手段】エレベータ用照明装置４は、天井１１、床１２、および複数の壁面１３〜１６で囲繞されるかご室１内の明るさを確保するものであり、かご室１の天井１１に設けられる天井照明２と、かご室１の壁面１３〜１６のうち出入口１７が設けられた壁面１３と対向する壁面１４に設けられる発光パネル３とを備えている。発光パネル３は、有機ＥＬ素子または無機ＥＬ素子からなっていて、発光層の裏面側に発光層で発光された光を反射する反射膜を有している。【選択図】図１
2008110820.tif 000002
【特許請求の範囲】
【請求項１】
天井、床、および複数の壁面で囲繞されるかご室内の明るさを確保するエレベータ用照明装置であって、
前記かご室の天井に設けられる天井照明と、前記かご室の壁面のうち出入口が設けられた壁面と対向する壁面に設けられる発光パネルとを備え、
前記発光パネルは、有機ＥＬ素子または無機ＥＬ素子からなっていて、発光層の裏面側に発光層で発光された光を反射する反射膜を有していることを特徴とするエレベータ用照明装置。
【請求項２】
前記出入口は、ドアによって開閉されるように構成されており、前記発光パネルは、前記出入口が閉じられるときに点灯し、出入口が開かれるときに消灯するように構成されていることを特徴とする請求項１に記載のエレベータ用照明装置。
【請求項３】
前記発光パネルは、異なる色の光を放射可能なものであることを特徴とする請求項１または２に記載のエレベータ用照明装置。
【発明の詳細な説明】
【技術分野】
【０００１】
本発明は、エレベータ用照明装置に関するものである。
【背景技術】
【０００２】
従来、天井、床、および複数の壁面で囲繞されるかご室内の明るさを確保するエレベータ用照明装置としては、かご室の天井に設けられるものが一般的である（例えば、特許文献１参照）。
【０００３】
このようなエレベータ用照明装置は、グレアを防止するために、光源が下方から拡散板で覆われていて、拡散光を放射するように構成されている。
【特許文献１】特開２００４−１４９３０３号公報
【発明の開示】
【発明が解決しようとする課題】
【０００４】
エレベータのかご室は閉じられた狭小空間であるため、居住性および快適性を向上させることが望まれる。そのための１つの手法として、かご室内の明るさ感を向上させることが考えられる。ここで、明るさ感とは、空間全体を観察した時の空間全体に対して感じられる「明るさ」の総合評価である。
【０００５】
ところで、本出願の出願人は、この明るさ感を向上させるには、床面の照度を高くするよりも壁面の輝度を高くする方が効果的であることを実験によって見出した。
【０００６】
しかしながら、従来のエレベータ用照明装置は、かご室の天井から拡散光を放射するものであるので、光源の強さを強くしても壁面の輝度をそれほど高めることはできない。
【０００７】
本発明は、このような事情に鑑み、壁面の輝度をより高めてかご室内の明るさ感を向上させることができるエレベータ用照明装置を提供することを目的とする。
【課題を解決するための手段】
【０００８】
請求項１の発明は、天井、床、および複数の壁面で囲繞されるかご室内の明るさを確保するエレベータ用照明装置であって、前記かご室の天井に設けられる天井照明と、前記かご室の壁面のうち出入口が設けられた壁面と対向する壁面に設けられる発光パネルとを備え、前記発光パネルは、有機ＥＬ素子または無機ＥＬ素子からなっていて、発光層の裏面側に発光層で発光された光を反射する反射膜を有していることを特徴とするものである。
【０００９】
請求項２の発明は、請求項１に記載のエレベータ用照明装置において、前記出入口は、ドアによって開閉されるように構成されており、前記発光パネルは、前記出入口が閉じられるときに点灯し、出入口が開かれるときに消灯するように構成されていることを特徴とするものである。
【００１０】
請求項３の発明は、請求項１または２に記載のエレベータ用照明装置において、前記発光パネルは、異なる色の光を放射可能なものであることを特徴とするものである。
【発明の効果】
【００１１】
請求項１の発明によれば、天井照明に加え、壁面に発光パネルを設けたから、この発光パネルの点灯によって壁面の輝度を直接的に高めることができ、かご室内全体の明るさ感を向上させることができる。しかも、発光パネルは、有機ＥＬ素子または無機ＥＬ素子からなっていて、発光層の裏面側に反射膜を有しているので、発光層が発光していない発光パネルの消灯時には発光パネルが鏡として機能するようになる。そして、この発光パネルがかご室の壁面のうち出入口が設けられた壁面と対向する壁面に設けられているので、例えば出入口が開かれるときに発光パネルを消灯させるようにすれば、出入口から真っ直ぐにかご室内に入った車椅子使用者が正面の発光パネルを見ることによって後方を視認することができ、その姿勢のままでかご室から出られるようになる。
【００１２】
請求項２の発明のように、発光パネルが出入口が閉じられるときに点灯し、出入口が開かれるときに消灯するように構成されていれば、発光パネルの点灯および消灯を必要なタイミングで自動的に切り替えることができる。
【００１３】
請求項３の発明によれば、例えばエレベータの動作状況に応じて発光パネルが放射する光の色を変更することが可能になり、これによりエレベータの動作状況等を利用者に伝えることができるようになる。
【発明を実施するための最良の形態】
【００１４】
以下、本発明を実施するための最良の形態について、図面を参照しながら詳細に説明する。
【００１５】
図１に、本発明の一実施形態に係るエレベータ用照明装置４が組み込まれたかご室１を示す。このかご室１は、天井１１、床１２、および４つの壁面１３〜１６を有しており、かご室１内の空間は、これら１１〜１６で囲繞されることによって略直方体状をなしている。
【００１６】
なお、本明細書では、４つの壁面１３〜１６のうち図１の手前側に位置する壁面１３を前壁面、奥側に位置する壁面１４を後壁面、左側に位置する壁面１５を左壁面、右側に位置する壁面１６を右壁面といい、前壁面１３と後壁面１４とが対向する方向を前後方向、左壁面１５と右壁面１６とが対向する方向を左右方向という。
【００１７】
前記かご室１の前壁面１３には、エレベータの利用者が出入りするための出入口１７と、左右のドア片１８ａ，１８ｂ同士の離間または当接によって出入口１７を開閉するドア１８とが設けられている。また、かご室１の左壁面１５には、かご室１の昇降やドア１８による出入口１７の開閉を操作するための操作部５が設けられている。
【００１８】
前記エレベータ用照明装置４は、かご室１内の明るさを確保するものであり、かご室１の天井１１に設けられる天井照明２と、かご室１の後壁面１４に設けられる発光パネル３とを備えている。
【００１９】
前記天井照明２は、天井１１の略全面に設けられている。この天井照明２は、光源が下方から拡散板で覆われていて、拡散光を放射するように構成されている。前記光源としては、蛍光灯や冷陰極蛍光ランプ等の各種のものが採用可能である。
【００２０】
前記発光パネル３は、後壁面１４よりも一回り小さな領域に設けられており、平面視で縦長長方形状をなしている。この発光パネル３は、有機ＥＬ素子からなっていて、正面から光を放射するように構成されている。
【００２１】
具体的には、発光パネル３は、図２および図３に示すように、発光パネル３の正面を構成する基板３１と、この基板３１の裏面に積層された第１電極層３２、有機発光層３３および第２電極層３４からなる有機ＥＬ層と、この有機ＥＬ層を覆うための第１封止部材３５および第２封止部材３６とを備えている。
【００２２】
基板３１は、前記有機ＥＬ層を支持するための平板状の部材であり、有機発光層３３で発光する光の波長に対して透明な材料、例えばガラス等からなる。
【００２３】
第１電極層３２は、有機発光層３３で発光する光の波長に対して透明な材料からなる導電性の薄膜であり、陽極となる。第１電極層３２は、有機発光層３３が可視光を発光するので、例えばＩＴＯ（Indium Tin Oxide）等で形成される。第１電極層３２は、その一部が基板３１の一方端側に第１封止部材３５から露出するように引き出されて陽極端子部３２１を形成している。
【００２４】
有機発光層３３は、蛍光物質の有機材料又は蛍光物質を含む有機材料からなる発光層を少なくとも含んで構成され、必要に応じて、正孔注入層、正孔輸送層、電子輸送層および電子注入層等を備える。より具体的には、第１電極層３２および第２電極層３４も記載すると、例えば以下の層構造である。
（１）（第１電極層３２；陽極）／発光層／（第２電極層３４；陰極）
（２）（第１電極層３２；陽極）／正孔輸送層／発光層／（第２電極層３４；陰極）
（３）（第１電極層３２；陽極）／発光層／電子輸送層／（第２電極層３４；陰極）
（４）（第１電極層３２；陽極）／正孔輸送層／発光層／電子輸送層／（第２電極層３４；陰極）
（５）（第１電極層３２；陽極）／正孔注入層／正孔輸送層／発光層／電子輸送層／電子注入層／（第２電極層３４；陰極）
第２電極層３４は、有機発光層３３で発光する波長の光を反射する材料からなる導電性の薄膜であり、陰極となる。換言すれば、第２電極層３４は、有機発光層３３の裏面側に配設された反射膜である。第２電極層３４は、例えばアルミニウム（Ａｌ）、アルミリチウム（Ａｌ：Ｌｉ）およびマグネシウム銀（Ｍｇ：Ａｇ）等の金属や合金等で形成される。第２電極層３４は、その一部が基板３１の一方端側に対向する他方端側に第１封止部材３５から露出するように引き出されて陰極端子部３４１を形成している。
【００２５】
第１封止部材３５および第２封止部材３６は、前記有機ＥＬ層のうち陽極端子部３２１および陰極端子部３４１を除く部分を基板３１と協同して気密に封止するための絶縁性の部材である。例えば接着性を有する樹脂製の第１封止部材３５が、陽極端子部３２１を除く第１電極層３２、有機発光層３３および陰極端子部３４１を除く第２電極層３４を覆うように塗布され、例えばガラス製の板状部材からなる第２封止部材３６が、第１封止部材３５を介して第２電極層３４上に載せられて圧力が加えられることによって、第２封止部材３６が第１封止部材３５によって第２電極層３４に接着されると共に、第２封止部材３６の周縁部が第１封止部材３５によって基板３１に気密に接着して接合される。これによって第１封止部材３５および第２封止部材３６は、基板３１と協同して有機ＥＬ層のうち陽極端子部３２１および陰極端子部３４１を除く部分を気密に封止する。
【００２６】
陽極端子部３２１および陰極端子部３４１は、配線材によって制御部６に接続されている。この制御部６は、第１電極層３２と第２電極層３４との間の通電を制御することにより、発光層３３の非発光または発光、すなわち発光パネル３の消灯または点灯をかご室１の出入口１７の開閉に合わせて自動的に切り替えるものである。
【００２７】
より詳しくは、かご室１には、出入口１７の開閉を検知する検知手段（図示せず）が設けられていて、この検知手段が制御部６に接続されている。この検知手段としては、ドア１８のドア片１８ａ，１８ｂが所定位置にあることを検知するリミットスイッチや光電センサ等が採用可能である。そして、制御部６は、出入口１７が閉じられるときには発光パネル３を点灯させ、出入口１７が開かれるときには発光パネル３を消灯させる。
【００２８】
本実施形態のエレベータ用照明装置４では、天井照明２に加え、かご室１の後壁面１４に発光パネル３を設けたから、この発光パネル３を点灯させれば、後壁面１４から光が放射されるようになるとともに、この光によって他の壁面１３，１５，１６が照らされるようになるため、壁面１４〜１６の輝度を直接的に高めることができ、かご室１内全体の明るさ感を向上させることができる。
【００２９】
また、利用者は、通常はかご室１内で出入口１７側を向いていることが多いため、出入口１７が設けられた前壁面１３と対向する後壁面１４に発光パネル３を設けることで、利用者の眼に光が直接入り難く、不快グレアになり難いという効果がある。
【００３０】
しかも、発光パネル３は、有機ＥＬ素子からなっていて、有機発光層３３の裏面側に配設された第２電極層３４が反射膜となっているので、有機発光層３３が発光していない発光パネル３の消灯時には発光パネル３が鏡として機能するようになる。そして、本実施形態のように、出入口１７が開かれるときに発光パネル３を消灯させるようにすれば、図４に示すように、出入口１７から真っ直ぐにかご室１内に入った車椅子使用者が正面の発光パネル３を見ることによって後方を視認することができ、その姿勢のままでかご室１から出られるようになる。
【００３１】
ここで、発光パネル３の点灯または消灯は手動で切り替えるようにしてもよいが、本実施形態のように、発光パネル３が出入口１７が閉じられるときに点灯し、出入口１７が開かれるときに消灯するように構成されていれば、発光パネル３の点灯および消灯を必要なタイミングで自動的に切り替えることができる。
【００３２】
また、発光パネル３は、他の光源と比較しても薄型である有機ＥＬ素子からなっているので、狭小でありかつ構造上限られた空間であるエレベータのかご室１内のスペースを広く有効活用できる。
【００３３】
さらに、発光パネル３は、有機ＥＬ素子からなっているので、その構成を変更するとともに制御方法を変更すれば、単色の光だけでなく、異なる色の光を放射可能なものとすることができる。このようにすれば、例えばエレベータの動作状況に応じて発光パネルが放射する光の色を変更することが可能になり、これによりエレベータの動作状況等を利用者に伝えることができるようになる。
【００３４】
さらには、発光パネル３として、ディスプレイに使われるような画素を形成したものを採用すれば、利用者に文字情報等を伝えることも可能となる。
【００３５】
なお、前記実施形態では、発光パネル３は、有機ＥＬ素子からなるものであったが、発光パネル３は、無機ＥＬ素子からなるものであってもよい。この場合には、有機発光層３３に代えて、無機発光層（図示せず）を採用すればよい。
【００３６】
また、かご室１の後壁面１４には、発光パネル３を、図５（ａ）に示すように上下に分けて設けてもよいし、または図５（ｂ）に示すように左右に分けて設けてもよい。あるいは図示は省略するが、発光パネル３をマトリクス状に分けて設けてもよい。
【００３７】
さらに、図５（ａ）および図５（ｂ）に示すように、左壁面１５や右側面１６にさらに発光パネル３を設けてもよい。この場合には、少なくとも後壁面１４に設けた発光パネル３を出入口１７の開閉に合わせて消灯または点灯させるようにすればよい。
【図面の簡単な説明】
【００３８】
【図１】本発明の一実施形態に係るエレベータ用照明装置が組み込まれたかご室の斜視図である。
【図２】発光パネルの正面図である。
【図３】図２のIII−III線断面図である。
【図４】かご室に車椅子使用者が入ったときの斜視図である。
【図５】変形例のエレベータ用照明装置が組み込まれたかご室の斜視図である。
【符号の説明】
【００３９】
１    かご室
１１  天井
１２  床
１３〜１６  壁面
１７  出入口
１８  ドア
２    天井照明
３    発光パネル
３３  発光層
３４  第２電極層（反射膜）
４    エレベータ用照明装置
【図１】
2008110820.tif 000003
【図２】
2008110820.tif 000004
【図３】
2008110820.tif 000005
【図４】
2008110820.tif 000006
【図５】
2008110820.tif 000007